(57)【特許請求の範囲】
【請求項１】
食器類を洗浄するための洗浄槽と、前記洗浄槽内に収容し食器類を配置する食器かごと、前記洗浄槽の内部で洗浄水を噴射する複数の洗浄ノズルと、前記洗浄ノズルに前記洗浄槽内の洗浄水を循環供給する洗浄ポンプとを備え、前記洗浄ノズルは、洗浄水の噴出の反力により連続的に回転する第１の洗浄ノズルと、洗浄水の噴出の反力によっては回転しない第２の洗浄ノズルとで構成し、前記第１の洗浄ノズルの回転中に１箇所以上の部位が前記第２の洗浄ノズルに断続的に接触し、第２の洗浄ノズルを断続的に回転させるよう構成した食器洗い機。
【請求項２】
食器類を洗浄するための洗浄槽と、前記洗浄槽内に収容し食器類を配置する食器かごと、前記洗浄槽の内部で洗浄水を噴射する複数の洗浄ノズルと、前記洗浄ノズルに前記洗浄槽内の洗浄水を循環供給する洗浄ポンプとを備え、前記洗浄ノズルは、連続的に洗浄水の噴出の反力により回転する第１の洗浄ノズルと第２の洗浄ノズルとで構成し、前記第２の洗浄ノズルは、洗浄水の噴出の反力により回転する方向と逆方向に回転させる力を断続的に第１の洗浄ノズルから受け、支軸中心に往復運動を行うよう構成した食器洗い機。
【発明の詳細な説明】
【０００１】
【発明の属する技術分野】
本発明は、食器類に向けて洗浄水を噴射して食器類を洗浄する食器洗い機に関するものである。
【０００２】
【従来の技術】
従来、この種の食器洗い機は図６および図７に示すように構成していた。以下、その構成について説明する。
【０００３】
図に示すように、洗浄槽１は前方に開口部２を有し、この開口部２を扉３により開閉するとともに、内部に洗浄水を噴射する洗浄ノズル４１、４２を回転自在に設けており、洗浄槽１内に食器類５を配置する食器かご６を収容している。洗浄槽１は台枠７にて支持されている。
【０００４】
洗浄槽１内の洗浄水はヒータ８によって温水化され、洗浄ポンプ９にて排水口１０に備えた残滓フィルタ１１から吸い込まれ、洗浄ノズル４１、４２に圧送され、噴出口から食器類５に向けて噴出し、循環する。これにより、食器類５は洗浄される。洗浄行程が終了すると、洗浄槽１の下部に設けた排水ポンプ１２によって機外に洗浄水が排水される。給水弁１３は、これを開閉することにより洗浄槽１への洗浄水の供給を制御するものである。
【０００５】
洗浄ノズル４１、４２は、洗浄水経路が回転軸中心から外径にかけて曲部４１ａ、４２ａを有しており、経路中に流れる洗浄水の運動方向の変化から回転力を得て、洗浄ノズル４１は時計方向に、洗浄ノズル４２は反時計方向に、それぞれ一定方向に連続回転しながら、噴出口から洗浄水を噴出する。
【０００６】
【発明が解決しようとする課題】
このような従来の食器洗い機においては、洗浄ノズル４１、４２は連続的に等速度で回転し、全方位均一に洗浄水を噴出するので、食器類５が置かれていない場所に噴出される洗浄水は無駄となっていた。特に、洗浄槽１の底面が長方形の場合は、回転運動をする洗浄ノズル４１、４２からの洗浄水の噴出軌跡が円形であるため、隅に死角があり、この死角の上方にある食器類５を洗浄するために、洗浄ノズル４１、４２の噴出口の中でも、最外位置の噴出口からの洗浄水の噴出方向を垂直真上方向から放線方向に傾けていた。
【０００７】
この場合、最外位置の噴出口が噴出軌跡の死角付近以外の位置にある場合は、最外位置の噴出口から噴出する洗浄水は洗浄槽１の側壁に当たるので、食器類５の洗浄に関与せず、無駄なものとなっていた。
【０００８】
本発明は上記従来の課題を解決するもので、食器類が置かれている場所に、洗浄ノズルからより多くの洗浄水を噴出させることで、洗浄水の無駄を抑え、より短時間ですべての食器類を洗浄できるようにすることを目的としている。
【０００９】
【課題を解決するための手段】
本発明は上記目的を達成するために、洗浄槽内に食器類を配置する食器かごを収容し、洗浄ポンプより複数の洗浄ノズルに洗浄槽内の洗浄水を循環供給し、洗浄槽の内部で洗浄ノズルより洗浄水を噴射するよう構成し、洗浄ノズルは、洗浄水の噴出の反力により連続的に回転する第１の洗浄ノズルと、洗浄水の噴出の反力によっては回転しない第２の洗浄ノズルとで構成し、第１の洗浄ノズルの回転中に１箇所以上の部位が第２の洗浄ノズルに断続的に接触し、第２の洗浄ノズルを断続的に回転させるよう構成したものである。
【００１０】
これにより、食器類が置かれている場所に、洗浄ノズルからより多くの洗浄水を噴出させることができ、洗浄水の無駄を抑え、より短時間ですべての食器類を洗浄することができる。
【００１１】
【発明の実施の形態】
本発明の請求項１に記載の発明は、食器類を洗浄するための洗浄槽と、前記洗浄槽内に収容し食器類を配置する食器かごと、前記洗浄槽の内部で洗浄水を噴射する複数の洗浄ノズルと、前記洗浄ノズルに前記洗浄槽内の洗浄水を循環供給する洗浄ポンプとを備え、前記洗浄ノズルは、洗浄水の噴出の反力により連続的に回転する第１の洗浄ノズルと、洗浄水の噴出の反力によっては回転しない第２の洗浄ノズルとで構成し、前記第１の洗浄ノズルの回転中に１箇所以上の部位が前記第２の洗浄ノズルに断続的に接触し、第２の洗浄ノズルを断続的に回転させるよう構成したものであり、第２の洗浄ノズルは低速度運動または一時停止と高速度運動を繰り返すことができるので、第２の洗浄ノズルより噴出した洗浄水が洗浄すべき食器類に当たっているときに低速度運動または一時停止させ、かつ、噴出した洗浄水が洗浄すべき食器類に当たっていないときには高速に運動させることができ、第２のノズルの総洗浄水噴出量の内、食器類に当たる洗浄水の割合を増すことができ、第２の洗浄ノズルを連続回転させる場合と比較して、洗浄水の無駄を抑えることができ、より短時間ですべての食器類を洗浄することができる。
【００１２】
請求項２に記載の発明は、食器類を洗浄するための洗浄槽と、前記洗浄槽内に収容し食器類を配置する食器かごと、前記洗浄槽の内部で洗浄水を噴射する複数の洗浄ノズルと、前記洗浄ノズルに前記洗浄槽内の洗浄水を循環供給する洗浄ポンプとを備え、前記洗浄ノズルは、連続的に洗浄水の噴出の反力により回転する第１の洗浄ノズルと第２の洗浄ノズルとで構成し、前記第２の洗浄ノズルは、洗浄水の噴出の反力により回転する方向と逆方向に回転させる力を断続的に第１の洗浄ノズルから受け、支軸中心に往復運動を行うよう構成したものであり、第２の洗浄ノズルは、第１の洗浄ノズルに連動して、特定範囲内で往復運動するので、第１の洗浄ノズルの洗浄水噴出軌跡の死角にある食器類を第２の洗浄ノズルで洗浄することにより、洗浄槽内の食器類にむらなく洗浄水を噴出することができ、第２の洗浄ノズルを連続回転させる場合と比較して、洗浄水の無駄を抑えることができ、より短時間ですべての食器類を洗浄することができる。
【００１３】
【実施例】
以下、本発明の実施例について、図面を参照しながら説明する。なお、従来例と同じ構成のものは同一符号を付して説明を省略する。
【００１４】
（実施例１）
図１および図２に示すように、洗浄槽１４は、前方の開口部２を扉３により開閉するとともに、内部に洗浄水を噴出する第１の洗浄ノズル１５、１６と第２の洗浄ノズル１７を回転自在に設けている。第１の洗浄ノズル１５、１６は洗浄水経路が回転軸中心から外径にかけて曲部１５ａ、１６ａを有しており、経路中に流れる洗浄水の運動方向の変化から回転力を得て、一定方向に連続的に自ら回転しながら、それぞれの噴出口から洗浄水を噴出するよう構成している。
【００１５】
第２の洗浄ノズル１７は、経路中に曲部がなく、また洗浄水噴出方向に偏りがないので自らを回転する力は発生しない。このため、図３に示すように、第１の洗浄ノズル１５の下部に設けた凸部（部位）１５ｂが第２の洗浄ノズル１７の外周に断続的に接触している間だけ回転を行う。したがって、第２の洗浄ノズル１７は、停止と回転の断続運転を行う。第２の洗浄ノズル１７の外形は６本の放射状に伸びた腕部からなっており、第１の洗浄ノズル１５が６回転すると、第２の洗浄ノズル１７が１回転するよう構成している。
【００１６】
上記構成において図４を参照しながら動作を説明する。図４は、図１に食器類５のレイアウト例を重ねたものである。図に示すように、箸やスプーンなどを入れるための小物入れ１８および小皿５１、５２は、第１の洗浄ノズル１５、１６の洗浄水噴出軌跡の死角位置に当たる。
【００１７】
第２の洗浄ノズル１７の停止時に噴出される洗浄水が小物入れ１８および小皿５１、５２に当たるように噴出口１７ａ、１７ｂの形状を調整しておくことにより、食器類５の中で洗浄のむらが少なくなるとともに、第２の洗浄ノズル１７を連続的に回転させた場合と比較して、第２の洗浄ノズル１７から噴出される洗浄水の中で無駄な洗浄水が少なくなり、より短時間ですべての食器類５を洗浄することができる。
【００１８】
なお、本実施例では、２個の第１の洗浄ノズル１５、１６を設け、第１の洗浄ノズル１５の回転に連動して第２の洗浄ノズル１７を断続的に回転させているが、第１の洗浄ノズル１６は設けなくてもよく、また、第１の洗浄ノズル１５の回転に連動して断続的に回転する第２の洗浄ノズル１７を複数個設けてもよく、同様の作用効果を得ることができる。
【００１９】
（実施例２）
図５に示すように、洗浄槽１９は、内部に洗浄水を噴出する第１の洗浄ノズル２０、２１と第２の洗浄ノズル２２を回転自在に設けている。第１の洗浄ノズル２０、２１は、洗浄水経路が回転軸中心から外径にかけて曲部２０ａ、２１ａを有しており、経路中に流れる洗浄水の運動方向の変化から回転力を得て、一定方向に連続的に回転しながら、噴出口から洗浄水を噴出する。
【００２０】
第２の洗浄ノズル２２は、洗浄水を噴出するときの反力にて時計方向に回転するよう、噴射口２２ａ、２２ｂから噴出される洗浄水を垂直上方向より傾けている。ただし、洗浄槽１９の底部に設けた突起１９ａに当たる角度より先に回ることはない。また、第１の洗浄ノズル１０の下部に凸部（図示せず）を設け、この凸部が第２の洗浄ノズル２２に設けたレバー２２ｃに接触している間だけ、第２の洗浄ノズル２２を反時計方向に回転するよう構成している。他の構成は上記実施例１と同じである。
【００２１】
上記構成において動作を説明する。第１の洗浄ノズル２０が洗浄水を噴出しながら時計方向に回転すると、第１の洗浄ノズル２０の下部に設けた凸部（図示せず）が第２の洗浄ノズル２２に設けたレバー２２ｃに接触している間だけ、第２の洗浄ノズル２２は反時計方向に回転し、第１の洗浄ノズル２０の下部に設けた凸部が、レバー４８ｃから離れると、再び洗浄水噴出の反力にて第２の洗浄ノズル２２は時計方向に回転し、洗浄槽１９の底部の突起１９ａに当たって停止する。この往復運動を繰り返しながら、第２の洗浄ノズル２２は第１の洗浄ノズル２０、２１の洗浄水噴射軌跡の死角部分の上方の食器類を洗浄する。
【００２２】
したがって、第２の洗浄ノズル２２が、単純に連続的に回転運動を行う場合に比べ、食器類全体をむらなく洗浄することができ、噴射される洗浄水の中で無駄な洗浄水が少なくなり、より短時間ですべての食器類を洗浄することができる。
【００２３】
なお、本実施例では、２個の第１の洗浄ノズル２０、２１を設け、第１の洗浄ノズル２０の回転に連動して第２の洗浄ノズル２２を断続的に往復運動させているが、第１の洗浄ノズル２１は設けなくてもよく、また、第１の洗浄ノズル２０の回転に連動して断続的に往復運動する第２の洗浄ノズル２２を複数個設けてもよく、同様の作用効果を得ることができる。
【００２４】
【発明の効果】
以上のように本発明の請求項１に記載の発明によれば、食器類を洗浄するための洗浄槽と、前記洗浄槽内に収容し食器類を配置する食器かごと、前記洗浄槽の内部で洗浄水を噴射する複数の洗浄ノズルと、前記洗浄ノズルに前記洗浄槽内の洗浄水を循環供給する洗浄ポンプとを備え、前記洗浄ノズルは、洗浄水の噴出の反力により連続的に回転する第１の洗浄ノズルと、洗浄水の噴出の反力によっては回転しない第２の洗浄ノズルとで構成し、前記第１の洗浄ノズルの回転中に１箇所以上の部位が前記第２の洗浄ノズルに断続的に接触し、第２の洗浄ノズルを断続的に回転させるよう構成したから、第２の洗浄ノズルは低速度運動または一時停止と高速度運動を繰り返すことができるので、低速度運動または一時停止のときにおける第２の洗浄ノズルから噴出する洗浄水を特に洗浄すべき食器類の方に向けることで、第２のノズルが連続運動する場合と比較して、無駄な洗浄水が少ない食器洗浄をすることができ、より短時間で、すべての食器類を洗浄することができる。
【００２５】
また、請求項２に記載の発明によれば、食器類を洗浄するための洗浄槽と、前記洗浄槽
内に収容し食器類を配置する食器かごと、前記洗浄槽の内部で洗浄水を噴射する複数の洗浄ノズルと、前記洗浄ノズルに前記洗浄槽内の洗浄水を循環供給する洗浄ポンプとを備え、前記洗浄ノズルは、連続的に洗浄水の噴出の反力により回転する第１の洗浄ノズルと第２の洗浄ノズルとで構成し、前記第２の洗浄ノズルは、洗浄水の噴出の反力により回転する方向と逆方向に回転させる力を断続的に第１の洗浄ノズルから受け、支軸中心に往復運動を行うよう構成したから、第２の洗浄ノズルは、第１の洗浄ノズルに連動して、特定範囲内で往復運動するので、第１の洗浄ノズルの洗浄水噴出軌跡の死角にある食器類を第２の洗浄ノズルで洗浄することにより、洗浄槽内の食器類にむらなく洗浄水を噴出することができ、第２の洗浄ノズルを連続回転させる場合と比較して、洗浄水の無駄を抑えることができ、より短時間ですべての食器類を洗浄することができる。
【図面の簡単な説明】
【図１】  本発明の第１の実施例の食器洗い機の洗浄ノズルの構成を示す横断面図
【図２】  同食器洗い機の縦断面図
【図３】  同食器洗い機の洗浄ノズルの配管構成を示す断面図
【図４】  同器洗い機の洗浄ノズルの構成に食器類のレイアウト例を重ねた横断面図
【図５】  本発明の第２の実施例の食器洗い機の洗浄ノズルの構成を示す横断面図
【図６】  従来の食器洗い機の洗浄ノズルの構成を示す横断面図
【図７】  従来の食器洗い機の縦断面図
【符号の説明】
５      食器類
６      食器かご
９      洗浄ポンプ
１４    洗浄槽
１５    第１の洗浄ノズル
１５ｂ  凸部（部位）
１６    第１の洗浄ノズル
１７    第２の洗浄ノズル
【図１】
0004265078.tif 000002
【図２】
0004265078.tif 000003
【図３】
0004265078.tif 000004
【図４】
0004265078.tif 000005
【図５】
0004265078.tif 000006
【図６】
0004265078.tif 000007
【図７】
0004265078.tif 000008